(57)【要約】【課題】  耐衝撃性を向上させることができるスイッチ装置およびそれを備えた時計を提供する。【解決手段】  腕時計ケース１の貫通孔１０に対してスライド可能に挿入された軸部１６、およびこの軸部１６の外端部に設けられた頭部１７を備えた操作部材１２と、頭部１７を腕時計ケース１の外部に向けて付勢し、かつ頭部１７が受けた圧力に応じて弾性変形するほぼ筒状の弾性部材１３と、この弾性部材１３に設けられて頭部１７が外部から受けた衝撃を緩衝する衝撃緩衝部２５と、を備えている。従って、頭部１７が衝撃を受けた際に、頭部１７が弾性部材１３を弾性変形させて衝撃緩衝部２５に接することにより、衝撃を緩衝することができるので、耐衝撃性を向上させることができる。【選択図】        図２
2020057549.tif 000002
【特許請求の範囲】
【請求項１】
貫通孔が設けられたケースと、
前記貫通孔に対してスライド可能に挿入された軸部、および前記軸部の外端部に設けられた頭部を備えた操作部材と、
前記頭部を前記ケースの外部に向けて付勢し、弾性変形するほぼ筒状の弾性部材と、
を備え、
前記弾性部材は前記頭部が外部から衝撃を受けた際に前記頭部に接し、かつ弾性変形する衝撃緩衝部を有することを特徴とするスイッチ装置。
【請求項２】
請求項１に記載のスイッチ装置において、前記弾性部材は、前記軸部が挿入する挿入孔が設けられて前記頭部の内面に接する第１面部と、前記第１面部の反対側に設けられている第２面部と、前記第１面部と前記第２面部とに連結されて前記第２面部に向けて徐々に広がる筒状の弾性変形部と、を備えていることを特徴とするスイッチ装置。
【請求項３】
請求項２に記載のスイッチ装置において、前記衝撃緩衝部は、前記第２面部に当該第２面部の円周方向に沿って設けられていることを特徴とするスイッチ装置。
【請求項４】
請求項３に記載のスイッチ装置において、前記衝撃緩衝部は、前記第２弾性部の全周に亘って連続した状態または不連続な状態で設けられていることを特徴とするスイッチ装置。
【請求項５】
請求項２〜請求項４のいずれかに記載のスイッチ装置において、前記衝撃緩衝部は、前記第２面部の円周方向に沿って分散されて設けられ、前記頭部に接して衝撃を緩衝する際に、前記頭部を一方向に回転移動させることを特徴とするスイッチ装置。
【請求項６】
請求項５に記載のスイッチ装置において、前記衝撃緩衝部は、前記頭部を前記一方向に回転移動させるための傾斜面が、前記第２弾性部の円周方向に沿って傾斜して設けられていることを特徴とするスイッチ装置。
【請求項７】
請求項１〜請求項６のいずれかに記載のスイッチ装置において、前記頭部は前記頭部の外端部分に縁部を有し、前記衝撃緩衝部は前記頭部が外部から衝撃を受けた際に前記縁部に接するように設けられていることを特徴とするスイッチ装置
【請求項８】
請求項１〜請求項7のいずれかに記載のスイッチ装置において、前記貫通孔に嵌められて前記軸部が挿入された第１筒部と、前記第１筒部の外端部に設けられ、かつ前記弾性部材が配置されると共に前記頭部が挿入された第２筒部と、を備えた筒状部材が、設けられていることを特徴とするスイッチ装置。
【請求項９】
請求項8に記載のスイッチ装置において、前記頭部は前記頭部の内面に溝部を備え、前記第１面部は前記溝部に嵌められて配置され、前記頭部と前記第１面部との接触面の範囲は外部から前記頭部に圧力が加えられた場合と、圧力が加えられなかった場合とでほぼ同じ範囲となり、かつ前記第２筒部と前記第２面部との接触面の範囲は、外部から前記頭部に圧力が加えられた場合と、圧力が加えられなかった場合とでほぼ同じ範囲となることを特徴とするスイッチ装置
【請求項１０】
請求項１〜請求項9のいずれかに記載されたスイッチ装置を備えていることを特徴とする時計。
【発明の詳細な説明】
【技術分野】
【０００１】
この発明は、スイッチ装置およびそれを備えた時計に関する。
【背景技術】
【０００２】
例えば、腕時計のスイッチ装置においては、特許文献１に記載されているように、腕時計ケースに段差状に設けられた貫通孔内にパイプを嵌め込み、このパイプ内に操作部材の軸部をスライド可能に挿入させ、この操作部材の頭部とパイプとの間に筒状の弾性部材を配置し、操作部材の頭部の押圧操作に応じて弾性部材を弾性変形させることにより、軸部をスライドさせてスイッチ素子をスイッチ動作させる構造のものが知られている。
【先行技術文献】
【特許文献】
【０００３】
【特許文献１】特開２００２−３５２６６２号公報
【発明の概要】
【発明が解決しようとする課題】
【０００４】
このようなスイッチ装置では、操作部材の頭部が外部から衝撃を受けた際に、頭部が弾性部材を急激に弾性変形させて腕時計ケースの貫通孔内の段差部に突き当るため、頭部や腕時計ケースあるいはスイッチ素子が破損する危険性がある。
【０００５】
この発明が解決しようとする課題は、耐衝撃性を向上させることができるスイッチ装置およびそれを備えた時計を提供することである。
【課題を解決するための手段】
【０００６】
この発明は、貫通孔が設けられたケースと、前記貫通孔に対してスライド可能に挿入された軸部、および前記軸部の外端部に設けられた頭部を備えた操作部材と、前記頭部を前記ケースの外部に向けて付勢し、かつ前記頭部が受けた圧力に応じて弾性変形するほぼ筒状の弾性部材と、前記弾性部材に設けられて前記頭部が外部から衝撃を受けた際に前記頭部に接し、かつ弾性変形する衝撃緩衝部と、を備えていることを特徴とするスイッチ装置である。
【発明の効果】
【０００７】
この発明によれば、耐衝撃性を向上させることができる。
【図面の簡単な説明】
【０００８】
【図１】この発明を腕時計に適用した一実施形態を示した拡大正面図である。
【図２】図１に示された腕時計のＡ−Ａ矢視における要部の拡大断面図である。
【図３】図２に示されたスイッチ装置において、操作部材が押圧操作された状態を示した拡大断面図である。
【図４】図２に示されたスイッチ装置の弾性部材を示した拡大斜視図である。
【図５】図４に示された弾性部材における衝撃緩衝部のＢ−Ｂ矢視における要部の拡大断面図である。
【図６】図２に示されたスイッチ装置において、操作部材が外部から衝撃を受けた状態を示した要部の拡大断面図である。
【図７】この発明を腕時計に適用した第１変形例を示した要部の拡大断面図である。
【図８】この発明を腕時計のスイッチ装置に適用した弾性部材の第２変形例を示した拡大斜視図である。
【図９】図８に示された弾性部材における衝撃緩衝部のＣ−Ｃ矢視における要部の拡大断面図である。
【発明を実施するための形態】
【０００９】
以下、図１〜図６を参照して、この発明を腕時計に適用した一実施形態について説明する。
この腕時計は、図１〜図３に示すように、腕時計ケース１を備えている。この腕時計ケース１は、第１ケース２と、この第１ケース２の上部に防水リング２ａを介して設けられた第２ケース３と、第１ケース２および第２ケース３の外周にこれらを覆った状態でビス４ａによって取り付けられた外装部材４と、を備えている。
【００１０】
第１、第２ケース３、３は、図１〜図３に示すように、金属または硬質の合成樹脂で形成されている。外装部材４は、ウレタン樹脂などの軟質の合成樹脂で形成されている。この腕時計ケース１の上部開口部、つまり第２ケース３の上部開口部には、時計ガラス５がパッキン５ａを介して取り付けられている。
【００１１】
また、この腕時計ケース１の下部、つまり第１ケース２の下部には、図２および図３に示すように、裏蓋６が一体に設けられている。この場合、裏蓋６は、第１ケース２と別個に形成されて、第１ケース２の下部に防水リングを介して取り付けられる構造であっても良い。
【００１２】
この腕時計ケース１の内部、つまり第１、第２ケース３、３の内部には、図２および図３に示すように、時計モジュール７が配置されている。この時計モジュール７は、図示しないが、指針の運針により時刻を指示する時計ムーブメントや、時刻などの情報を表示する表示部、後述するスイッチ素子２４、これらを電気的に駆動して制御する回路部など、時計機能に必要な各種の部品を備えている。
【００１３】
また、この腕時計ケース１の１２時側と６時側とには、図１に示すように、時計バンド（図示せず）が取り付けられるバンド取付部９がそれぞれ設けられている。さらに、この腕時計ケース１の２時側、４時側、６時側、８時側には、それぞれスイッチ装置８が設けられている。
【００１４】
これら複数のスイッチ装置８のうち、例えば、４時側に位置するスイッチ装置８は、図２および図３に示すように、腕時計ケース１の第１ケース２に設けられた貫通孔１０に嵌着された筒状部材１１と、この筒状部材１１にスライド可能に挿入された操作部材１２と、この操作部材１２を腕時計ケース１の外部に向けて付勢する弾性部材１３と、を備えている。
【００１５】
筒状部材１１は、図２および図３に示すように、第１ケース２の貫通孔１０に嵌められる第１筒部１４と、この第１筒部１４の外端部に設けられて第１ケース２の外部に配置される第２筒部１５と、を備え、これらがステンレスやチタンなどの金属、または硬質の合成樹脂によって一体に形成されている。
【００１６】
第１筒部１４は、図２および図３に示すように、貫通孔１０の小径孔部に嵌められる小径筒部１４ａと、貫通孔１０の大径孔部に嵌められる大径筒部１４ｂと、を備えている。この第１筒部１４は、小径筒部１４ａと大径筒部１４ｂとの各軸方向の長さがほぼ同じ長さで形成されている。
【００１７】
この場合、第１筒部１４の小径筒部１４ａは、図２および図３に示すように、外径が貫通孔１０の小径孔部の内径とほぼ同じ大きさで、軸方向の長さが貫通孔１０の小径孔部の軸方向の長さよりも長く形成されている。大径筒部１４ｂは、外径が貫通孔１０の大径孔部の内径とほぼ同じ大きさで、軸方向の長さが貫通孔１０の大径孔部の軸方向の長さと同じ長さで形成されている。
【００１８】
これにより、第１筒部１４の小径筒部１４ａは、図２および図３に示すように、貫通孔１０の小径孔部に挿入された際に、内端部が第１ケース２の内部に突出し、この突出した内端部にＥリングなどの抜止め部材１４ｃが取り付けられている。このため、筒状部材１１は、抜止め部材１４ｃが第１ケース２の内周面に当接することにより、貫通孔１０から腕時計ケース１の外部に抜け出さない構造になっている。
【００１９】
この場合、大径筒部１４ｂは、図２および図３に示すように、外周に複数の防水リング１４ｄが環状に設けられ、これら複数の防水リング１４ｄが貫通孔１０の大径孔部の内周に圧接して嵌められている。これにより、筒状部材１１は、大径筒部１４ｂの外周面と貫通孔１０の大径孔部の内周面との間の防水が図られている。
【００２０】
また、第２筒部１５は、図２および図３に示すように、外径が第１ケース２の上下方向の長さよりも長く、かつ第２ケース３の上部から裏蓋６の下面までの長さよりも短く形成されている。この第２筒部１５は、軸方向の長さが第１筒部１４の軸方向の長さよりも短く、かつ第１筒部１４の大径筒部１４ｂの軸方向の長さよりも長く形成されている。また、この第２筒部１５は、その内径が第１筒部１４の内径よりも十分に大きく、かつ第１ケース２の上下方向の長さとほぼ同じか、それよりも少し大きく形成されている。
【００２１】
操作部材１２は、図２および図３に示すように、筒状部材１１の第１筒部１４内にスライド可能で且つ回転可能に挿入された軸部１６と、この軸部１６の外端部に設けられて、筒状部材１１の第２筒部１５内にスライド可能で且つ回転可能に配置された頭部１７と、を備えている。
【００２２】
この場合、操作部材１２の軸部１６は、図２および図３に示すように、ステンレスやチタンなどの金属、または硬質の合成樹脂によってほぼ丸棒状に形成され、その外径が筒状部材１１の第１筒部１４の内径とほぼ同じ大きさに形成されている。また、この軸部１６は、軸方向の長さが筒状部材１１の軸方向の長さとほぼ同じか、それよりも少し長く形成されている。
【００２３】
これにより、この操作部材１２の軸部１６は、図２および図３に示すように、筒状部材１１の第１筒部１４内に挿入された際に、外端部が第２筒部１５内に突出した状態で、内端部が第１ケース２の内部に突出し、この突出した内端部にＥリングなどの抜止め部材１８が取り付けられている。このため、軸部１６は、抜止め部材１８が第１筒部１４の内端面に接離可能に当接することにより、筒状部材１１から腕時計ケース１の外部に抜け出さない構造になっている。
【００２４】
さらに、この操作部材１２の軸部１６の外周面には、図２および図３に示すように、複数のパッキン部材２０がそれぞれ環状に設けられている。これら複数のパッキン部材２０は、その外周部が第１筒部１４の内周面に摺動可能に圧接することにより、軸部１６の外周面と第１筒部１４の内周面との間の防水を図る構造になっている。
【００２５】
一方、操作部材１２の頭部１７は、図２および図３に示すように、軸部１６と同様、ステンレスやチタンなどの金属、または硬質の合成樹脂によってほぼ円板状に形成されている。この頭部１７は、その内面の中心部に軸部１６の外端部が一体に設けられている。この頭部１７は、外径が筒状部材１１の第２筒部１５の内径とほぼ同じ大きさで、軸方向の長さが第２筒部１５内の軸方向の長さとほぼ同じ長さに形成されている。これにより、頭部１７は、第２筒部１５内に出没可能に配置される構造になっている。
【００２６】
弾性部材１３は、図２〜図４に示すように、シリコーンゴム、ウレタンゴムなどのエラストマーである弾性素材によって形成されている。この場合、弾性部材１３は、耐環境性、耐薬品性に優れ、広い温度範囲で機械的特性が安定するシリコーンゴムによって形成されていることが望ましい。この弾性部材１３は、操作部材１２の頭部１７を腕時計ケース１の外部に向けて付勢し、かつ操作部材１２のスライド動作、つまり頭部１７が受ける圧力に応じて弾性変形する構造になっている。
【００２７】
この弾性部材１３は、図２〜図４に示すように、操作部材１２の頭部１７の内面に弾力的に接する円板状の第１面部２１と、筒状部材１１の第２筒部１５の内面に弾力的に接する鍔状の第２面部２２と、第１面部２１と第２面部２２とに連結されて第２面部２２に向けて徐々に広がる傾斜筒状の弾性変形部２３と、を備えている。
【００２８】
第１面部２１は、図２〜図４に示すように、外径が筒状部材１１の第１筒部１４における大径筒部１４ｂの外径とほぼ同じか、それよりも少し大きい円板状に形成されている。この第１面部２１は、その中心部に軸部１６が挿入される挿入孔２１ａが設けられ、頭部１７の内面に弾力的に接して配置されている。また、本実施例において、頭部１７は内面に第1面部２１の位置決めのための溝部を有しており、第１面部がこの溝部に嵌められて配置されることにより、第１面部２１は外部から頭部１７に圧力が加えられた場合にも、軸部１６の外周に沿って頭部１７の内面にほぼ同じ範囲で接し続けることができる。すなわち、頭部１７の第１面部２１との接触面の範囲は固定され、外部から頭部１７に圧力が加えられた場合と、圧力が加えられなかった場合とでほぼ同じ範囲となる。これにより、外部から頭部１７に圧力が加えられた場合に、弾性部材１３は均等に弾性変形することができる。
【００２９】
第２面部２２は、図２〜図４に示すように、外径が筒状部材１１の第２筒部１５の内径とほぼ同じ大きさで、内径が第１筒部１４の大径筒部１４ｂの外径つまり第１面部２１の外径よりも大きく、かつ第１ケース２の上下方向の長さよりも短い長さのリング状に形成され、第１面部２１の反対側に設けられ、筒状部材１１の第２筒部１５の内面に弾力的に接して配置されている。これにより、第２面部２２は外部から頭部１７に圧力が加えられた場合にも、筒状部材１１の第２筒部１５の内周に沿って、筒状部材１１の第２筒部１５の内面に接し続ける。すなわち、第２筒部１５の第２面部２２との接触面の範囲は固定され、外部から頭部１７に圧力が加えられた場合と、圧力が加えられなかった場合とでほぼ同じ範囲となる。これにより、外部から頭部１７に圧力が加えられた場合に、弾性部材１３は均等に弾性変形することができる。
【００３０】
弾性変形部２３は、図２〜図４に示すように、第１面部２１の外周部と第２面部２２の内周部とに連結された円錐台形状の傾斜筒状に形成されている。すなわち、この弾性変形部２３は、第２面部２２側の外径および内径が第１面部２１側の外径および内径よりも大きい傾斜筒状に形成されている。また、外部から頭部１７に圧力が加えられた場合と、圧力が加えられなかった場合とで、第１面部は頭部１７の内面の同じ範囲に接触し続け、第２面部は第２筒部１５の内面のほぼ同じ範囲に接触し続ける。これにより、弾性変形部２３は外部から頭部１７に圧力が加えられた場合に均等に弾性変形することができる。これにより、外部から頭部１７に加えられた圧力が均等に分散し、操作圧が良くなる。
【００３１】
これにより、弾性部材１３は、図２〜図４に示すように、弾性変形部２３の弾性力によって操作部材１２の頭部１７を腕時計ケース１の外部に向けて付勢するばね機能を備えている。すなわち、この弾性部材１３は、弾性変形部２３が自然状態の安定した形状に膨張した際の弾性力によって、操作部材１２の頭部１７を腕時計ケース１の外部に向けて付勢する構造になっている。
【００３２】
このため、この弾性部材１３は、図２〜図４に示すように、弾性変形部２３が自然状態の安定した形状に膨張して、操作部材１２の頭部１７を腕時計ケース１の外部に向けて付勢した際に、操作部材１２の軸部１６の内端部に取り付けられた抜止め部材１８を筒状部材１１の第１筒部１４における小径筒部１４ａの内端面に当接させる構造になっている。
【００３３】
また、この弾性部材１３は、図２〜図４に示すように、弾性変形部２３の弾性力に抗して操作部材１２の頭部１７が弾性変形部２３を第１ケース２の内部側に向けて押圧した際に、頭部１７の内面と第２筒部１５の内面との間で弾性変形部２３が潰れるように弾性変形する構造になっている。
【００３４】
これにより、弾性部材１３は、図２〜図４に示すように、弾性変形部２３の弾性変形に伴って操作部材１２の軸部１６をその軸方向にスライドさせて、軸部１６の内端部を第１ケース２内に突出させ、この突出した軸部１６の内端部によって時計モジュール７の後述するスイッチ素子２４をスイッチ動作させる構造になっている。
【００３５】
この場合、時計モジュール７のスイッチ素子２４は、図２および図３に示すように、頭部１７が弾性部材１３の弾性力に抗して押圧されて、操作部材１２の軸部１６が第１ケース２の内部に向けてスライドした際に、第１ケース２の内部に押し込まれた軸部１６の内端部によって押されて、スイッチ動作してスイッチ信号を出力する構造になっている。
【００３６】
ところで、弾性部材１３には、図２〜図６に示すように、操作部材１２の頭部１７が外部から衝撃を受けた際に、頭部１７の内面における外周部に設けられたリング状の縁部１７ａに接する複数の衝撃緩衝部２５が一体に設けられている。すなわち、これら複数の衝撃緩衝部２５は、弾性部材１３と同じ弾性素材で、弾性部材１３の第２面部２２にその円周方向に沿って等間隔で設けられている。
【００３７】
これにより、複数の衝撃緩衝部２５は、図２〜図６に示すように、操作部材１２の頭部１７が外部から衝撃を受けて弾性部材１３の弾性変形部２３が弾性変形して、操作部材１２の軸部１６がスイッチ素子２４をスイッチ動作させた後に、頭部１７の縁部１７ａが押し当てられることにより、外部からの衝撃を分散させて緩衝する構造になっている。
【００３８】
この場合、複数の衝撃緩衝部２５は、図４〜図６に示すように、頭部１７の縁部１７ａが当接して衝撃を緩衝する際に、頭部１７を一方向、例えば時計回り方向に回転移動させる形状に形成されている。すなわち、これら複数の衝撃緩衝部２５それぞれは、時計回り方向に向けて先細になるほぼ三角形の板状片で、頭部１７の縁部１７ａに接する面である上面が頭部１７を一方向に回転移動させるための傾斜面２５ａに形成されている。
【００３９】
この傾斜面２５ａは、図４〜図６に示すように、反時計回り方向の一端部の厚みが厚く、時計回り方向の他端部に向けて厚みが次第に薄くなる形状に傾斜して形成されている。これにより、複数の衝撃緩衝部２５は、頭部１７が外部から衝撃を受けて頭部１７の縁部１７ａに接して弾性変形する際に、傾斜面２５ａに沿って縁部１７ａをずらすことにより、頭部１７を一方向である時計回り方向に回転移動させる構造になっている。
【００４０】
すなわち、複数の衝撃緩衝部２５は、図４〜図６に示すように、頭部１７が外部から衝撃を受けて頭部１７の縁部１７ａに接して弾性変形する際に、頭部１７の縁部１７ａが厚みの厚い傾斜面２５ａ側から厚みの薄い傾斜面２５ａ側に向けて位置ずれするように変位することにより、頭部１７を一方向である時計回り方向に回転移動させる構造になっている。
【００４１】
次に、このような腕時計のスイッチ装置８の作用について説明する。
このスイッチ装置８は、通常状態のときに、弾性部材１３が自然状態の安定した形状、つまり弾性部材１３の弾性変形部２３が自然状態の安定した円錐台形状の傾斜筒状になる。これにより、スイッチ装置８は、弾性部材１３の弾性力によって操作部材１２の頭部１７が腕時計ケース１の外部に向けて押し出されて筒状部材１１の第２筒部１５から外部に突出する。
【００４２】
この状態では、操作部材１２の軸部１６の内端部に設けられた抜止め部材１８が筒状部材１１の第１筒部１４における小径筒部１４ａの内端部に当接する。これにより、操作部材１２の軸部１６の内端部が時計モジュール７のスイッチ素子２４から離れ、スイッチ素子２４をオフ状態にする。このときには、軸部１６の外周面に設けられた複数のパッキン部材２０によって軸部１６の外周面と筒状部材１１の第１筒部１４の内周面との間の防水が図られる。
【００４３】
この状態で、操作部材１２の頭部１７を弾性部材１３の弾性力に抗して腕時計ケース１の内部側に向けて押し込むと、頭部１７の内面に接した弾性部材１３の第１面部２１と筒状部材１１の第２筒部１５の内面に接した第２面部２２との間で、弾性変形部２３が押圧されて弾性変形する。このときには、弾性部材１３の弾性変形部２３は頭部１７が受ける圧力に応じて外周側に膨張しながら潰れるように弾性変形する。
【００４４】
これにより、操作部材１２の軸部１６が筒状部材１１の第１筒部１４内をスライドして第１ケース２内に押し込まれる。このため、軸部１６の内端部が時計モジュール７のスイッチ素子２４を押圧して、スイッチ素子２４をスイッチ動作させる。このときには、軸部１６の外周に設けられた複数のパッキン部材２０が第１筒部１４の大径筒部１４ｂの内周面に圧接した状態で摺動することにより、軸部１６の外周面と第１筒部１４の内周面との間の防水が図られる。
【００４５】
ところで、操作部材１２の頭部１７が腕時計ケース１の外部から衝撃を受けた際には、頭部１７によって弾性部材１３の弾性変形部２３が急激に弾性変形して、頭部１７の内面における外周部に設けられた縁部１７ａが、弾性部材１３の第２面部２２に設けられた複数の衝撃緩衝部２５に接する。これにより、複数の衝撃緩衝部２５がそれぞれ弾性変形することにより、外力を分散させて頭部１７が受けた衝撃を確実にかつ良好に吸収しながら緩衝する。
【００４６】
このように、頭部１７の縁部１７ａが複数の衝撃緩衝部２５に接して頭部１７が受けた衝撃を緩衝する際には、頭部１７の縁部１７ａが複数の衝撃緩衝部２５の各傾斜面２５ａに沿って一方向、例えば時計回り方向に回転移動する。すなわち、複数の衝撃緩衝部２５の各傾斜面２５ａは、反時計回り方向の一端部の厚みが厚く、時計回り方向の他端部に向けて厚みが次第に薄くなる形状に傾斜して形成されている。
【００４７】
これにより、頭部１７の縁部１７ａは、複数の衝撃緩衝部２５に接して、各衝撃緩衝部２５を弾性変形させる際に、厚みの厚い傾斜面２５ａ側から厚みの薄い傾斜面２５ａ側に向けて位置ずれすることにより、頭部１７が時計回り方向に回転移動する。このため、頭部１７の縁部１７ａが複数の衝撃緩衝部２５に接して頭部１７が受けた衝撃を緩衝する際に、頭部１７が複数の衝撃緩衝部２５を弾性変形させながら一方向に回転移動することにより、頭部１７が受けた衝撃を吸収しながら良好に緩衝する。
【００４８】
また、頭部１７の縁部１７ａが複数の衝撃緩衝部２５に接して頭部１７が受けた衝撃を緩衝する際には、軸部１６の内端部が第１ケース２内に押し込まれて時計モジュール７のスイッチ素子２４をスイッチ動作させた上、軸部１６の内端部が複数の衝撃緩衝部２５の各弾性変形量に伴って更に第１ケース２内に押し込まれる。
【００４９】
このときには、複数の衝撃緩衝部２５によって衝撃が吸収されて緩衝され、かつ複数の衝撃緩衝部２５の各弾性変形量が弾性変形部２３の弾性変形に比べて小さいことにより、軸部１６の内端部によるスイッチ素子２４へのダメージが少なく、軸部１６の内端部によるスイッチ素子２４の破損を防ぐことができる。
【００５０】
このように、この腕時計のスイッチ装置８によれば、貫通孔１０が設けられた腕時計ケース１の第１ケース２と、この第１ケース２の貫通孔１０に対してスライド可能に挿入された軸部１６、およびこの軸部１６の外端部に設けられた頭部１７を備えた操作部材１２と、頭部１７を第１ケース２の外部に向けて付勢し、かつ頭部１７が受ける圧力に応じて弾性変形するほぼ筒状の弾性部材１３と、この弾性部材１３に設けられて頭部１７が外部から衝撃を受けた際に頭部１７に接し、かつ弾性変形する複数の衝撃緩衝部２５と、を備えていることにより、耐衝撃性を向上させることができる。
【００５１】
すなわち、このスイッチ装置８では、操作部材１２の頭部１７が腕時計ケース１の外部から衝撃を受けた際に、頭部１７によって弾性部材１３の弾性変形部２３が急激に弾性変形して、頭部１７の内面における外周部に設けられた縁部１７ａが、弾性部材１３に設けられた複数の衝撃緩衝部２５にそれぞれ接して、これら複数の衝撃緩衝部２５をそれぞれ弾性変形させて外力を分散させることができる。
【００５２】
このため、このスイッチ装置８では、頭部１７が受けた衝撃を複数の衝撃緩衝部２５によって確実にかつ良好に吸収して緩衝することができる。これにより、衝撃による操作部材１２の頭部１７や時計モジュール７内のスイッチ素子２４などの破損を防ぐことができるので、耐衝撃性を向上させることができる。
【００５３】
この場合、腕時計ケース１の第１ケース２には、貫通孔１０に嵌められて軸部１６が挿入する第１筒部１４と、この第１筒部１４の外端部に設けられ、かつ弾性部材１３が配置されると共に頭部１７が挿入する第２筒部１５と、を備えた筒状部材１１が設けられていることにより、この筒状部材１１によって操作部材１２を安定させた状態で確実にかつ良好にスライド可能に保持することができる。
【００５４】
すなわち、このスイッチ装置８では、筒状部材１１の第１筒部１４によって操作部材１２の軸部１６を安定させた状態で確実にかつ良好にスライドさせることができ、第２筒部１５によって弾性部材１３を弾性変形可能な状態で確実にかつ良好に配置させることができると共に、この第２筒部１５によって頭部１７をスライド可能な状態で確実にかつ良好に挿入させることができ、これにより頭部１７によって弾性部材１３を確実にかつ良好に弾性変形させることができる。
【００５５】
また、このスイッチ装置８の弾性部材１３は、操作部材１２の軸部１６が挿入される挿入孔２１ａが設けられて操作部材１２の頭部１７の内面に弾力的に接する円板状の第１面部２１と、筒状部材１１の第２筒部１５の内面に弾力的に接する鍔状の第２面部２２と、第１面部２１と第２面部２２とに連結されて第２面部２２に向けて徐々に広がる筒状の弾性変形部２３と、を備えていることにより、頭部１７が外部から押圧操作された際に、弾性部材１３を確実にかつ良好に弾性変形させることができる。
【００５６】
すなわち、このスイッチ装置８では、頭部１７が外部から押圧された際に、頭部１７の内面に接した弾性部材１３の第１面部２１と筒状部材１１の第２筒部１５の内面に接した第２面部２２との間で、弾性変形部２３が押圧され、頭部１７の押圧状態に応じて弾性変形部２３を外周側に膨張させながら潰すように弾性変形させることができるので、頭部１７の押圧操作に応じて弾性変形部２３を弾性変形させながら、軸部１６を良好にスライドさせて第１ケース２内に向けて押し込むことができる。
【００５７】
また、このスイッチ装置８では、複数の衝撃緩衝部２５が弾性部材１３の第２面部２２に設けられていることにより、複数の衝撃緩衝部２５を備えていても、部品点数の削減および組立作業の簡素化を図ることができると共に、操作部材１２の頭部１７が腕時計ケース１の外部から衝撃を受けた際に、頭部１７の縁部１７ａが複数の衝撃緩衝部２５にそれぞれ接するので、頭部１７が受けた衝撃を分散させて確実にかつ良好に緩衝することができる。
【００５８】
この場合、このスイッチ装置８では、複数の衝撃緩衝部２５が弾性部材１３の第２面部２２にその円周方向に沿って等間隔で設けられていることにより、操作部材１２の頭部１７が腕時計ケース１の外部から衝撃を受けた際に、頭部１７の縁部１７ａは複数の衝撃緩衝部２５にそれぞれ接し、これにより複数の衝撃緩衝部２５をそれぞれ弾性変形させることができるので、頭部１７が受けた衝撃を第２面部２２の円周方向に沿って均一に分散させて緩衝することができる。
【００５９】
また、このスイッチ装置８の複数の衝撃緩衝部２５は、頭部１７の縁部１７ａに接して衝撃を緩衝する際に、頭部１７を一方向、例えば時計回り方向に回転移動させることにより、頭部１７が受けた衝撃を複数の衝撃緩衝部２５で緩衝するときに、頭部１７を一方向に回転移動させることができるので、より一層、頭部１７が受けた衝撃を良好に緩衝することができる。
【００６０】
すなわち、複数の衝撃緩衝部２５それぞれは、頭部１７を一方向に回転移動させるための傾斜面２５ａが、第２弾性部２２の円周方向に沿って傾斜して設けられていることにより、頭部１７が衝撃を受けて頭部１７の縁部１７ａが複数の衝撃緩衝部２５に当接して緩衝する際に、複数の衝撃緩衝部２５における各傾斜面２５ａの傾斜方向に沿って頭部１７を回転移動させることができる。
【００６１】
この場合、複数の衝撃緩衝部２５の各傾斜面２５ａは、頭部１７を一方向である時計回り方向に回転移動させるために、反時計回り方向の一端部の厚みが厚く、時計回り方向の他端部に向けて厚みが次第に薄くなる形状に形成されていることにより、頭部１７が衝撃を受けて頭部１７の縁部１７ａが複数の衝撃緩衝部２５に接した際に、頭部１７の縁部１７ａを、厚みの厚い傾斜面２５ａ側から厚みの薄い傾斜面２５ａ側に向けてずらすことができる。
【００６２】
これにより、複数の衝撃緩衝部２５は、頭部１７の縁部１７ａが、厚みの厚い傾斜面２５ａ側から厚みの薄い傾斜面２５ａ側に向けて位置ずれすることにより、頭部１７を一方向である時計回り方向に回転移動させることができる。このため、このスイッチ装置８では、頭部１７の縁部１７ａが複数の衝撃緩衝部２５に接して頭部１７が受けた衝撃を緩衝する際に、頭部１７が複数の衝撃緩衝部２５を弾性変形させながら、頭部１７を一方向である時計回り方向に回転移動させることができ、これによっても頭部１７が受けた衝撃を良好に吸収して緩衝することができる。
【００６３】
なお、上述した実施形態では、腕時計ケース１の第１ケース２に設けられた貫通孔１０に筒状部材１１を設け、この筒状部材に操作部材１２を取り付けた場合について述べた、この発明は、これに限らず、例えば図７に示す第１変形例のように、操作部材１２を第１ケース２に設けられた貫通孔３０内に挿入させて取り付けた構造であっても良い。
【００６４】
この場合には、図７に示すように、第１ケース２の外面に、弾性部材１３が配置されると共に操作部材１２の頭部１７が挿入する筒部３１を、貫通孔３０と同一軸上に対応させて設けた構造にすれば良い。このような第１変形例の構造でも、上述した実施形態と同様の作用効果があるほか、筒状部材１１が不要であるから、部品点数を削減することができると共に、組立作業の簡素化を図ることができる。
【００６５】
また、上述した実施形態では、腕時計ケース１が第１ケース２と第２ケース３と外装部材４とで構成されている場合について述べたが、この発明は、これに限らず、例えばケース本体と外装部材とで構成されていても良く、またケース本体のみで構成されていても良い。
【００６６】
また、上述した実施形態では、複数の衝撃緩衝部２５が頭部１７を時計回り方向に回転移動させる場合について述べたが、この発明は、これに限らず、例えば頭部１７を反時計回り方向に回転移動させる構造であっても良い。この場合には、複数の衝撃緩衝部２５の傾斜面２５ａを、時計回り方向の一端部の厚みが厚く、反時計回り方向の他端部に向けて厚みが次第に薄くなる形状に傾斜させて形成すれば良い。
【００６７】
また、上述した実施形態では、複数の衝撃緩衝部２５が頭部１７を一方向に回転移動させる場合について述べたが、この発明は、必ずしも複数の衝撃緩衝部２５によって頭部１７を回転移動させる必要はなく、例えば、図８および図９に示した第２変形例のように複数の衝撃緩衝部３５を形成しても良い。
【００６８】
すなわち、この第２変形例の衝撃緩衝部３５は、図８および図９に示すように、弾性部材１３の第２面部２２の外周部にその円周方向に沿って等間隔で設けられている。また、これら複数の衝撃緩衝部３５は、円周方向に沿って長い板状で、かつ均一な厚みの平板状に形成されている。
【００６９】
このような第２変形例では、頭部１７が衝撃を受けて複数の衝撃緩衝部３５に接した際に、頭部１７が受けた衝撃に応じて複数の衝撃緩衝部３５を操作部材１２の軸方向に均一に圧縮させるように弾性変形させることができる。このため、この第２変形例では、頭部１７が衝撃によって複数の衝撃緩衝部３５に接した際に、頭部１７が回転移動することなく、複数の衝撃緩衝部３５を操作部材１２の軸方向である厚み方向に均一に弾性変形させて頭部１７の衝撃を良好に吸収して緩衝することができる。
【００７０】
この場合、上述した第２変形例では、複数の衝撃緩衝部３５を均一な厚みの平板状に形成したが、この発明は、これに限らず、例えば、複数の衝撃緩衝部３５を均一な高さの断面山形状に形成して、頭部が受けた衝撃に応じて複数の衝撃緩衝部２５をそれぞれ均一に弾性変形させて、衝撃を緩衝する構造であっても良い。
【００７１】
また、この発明は、必ずしも複数の衝撃緩衝部２５を弾性部材１３の第２面部２２に不連続状態で設ける必要はなく、弾性部材１３の第２面部２２にその円周方向に沿って連続するリング状の衝撃緩衝部を設けた構造であっても良い。
【００７２】
さらに、上述した実施形態およびその各変形例では、腕時計に適用した場合について述べたが、必ずしも腕時計である必要はなく、例えばトラベルウオッチ、目覚まし時計、置き時計、掛け時計などの各種の時計に適用することができる。また、この発明は、必ずしも時計である必要はなく、例えば携帯電話機、携帯端末機などの電子機器にも広く適用することができる。
【００７３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７４】
（付記）
請求項１に記載の発明は、貫通孔が設けられたケースと、前記貫通孔に対してスライド可能に挿入された軸部、および前記軸部の外端部に設けられた頭部を備えた操作部材と、前記頭部を前記ケースの外部に向けて付勢し、弾性変形するほぼ筒状の弾性部材と、を備え、前記弾性部材は前記頭部が外部から衝撃を受けた際に前記頭部に接し、かつ弾性変形する衝撃緩衝部を有することを特徴とするスイッチ装置である。
【００７５】
請求項2に記載の発明は、請求項１に記載のスイッチ装置において、前記弾性部材は、前記軸部が挿入する挿入孔が設けられて前記頭部の内面に接する第１面部と、前記第１面部の反対側に設けられている第２面部と、前記第１面部と前記第２面部とに連結されて前記第２面部に向けて徐々に広がる筒状の弾性変形部と、を備えていることを特徴とするスイッチ装置である。
【００７６】
請求項３に記載の発明は、請求項２に記載のスイッチ装置において、前記衝撃緩衝部は、前記第２面部に当該第２面部の円周方向に沿って設けられていることを特徴とするスイッチ装置である。
【００７７】
請求項４に記載の発明は、請求項３に記載のスイッチ装置において、前記衝撃緩衝部は、前記第２弾性部の全周に亘って連続した状態または不連続な状態で設けられていることを特徴とするスイッチ装置である。
【００７８】
請求項５に記載の発明は、請求項２〜請求項４のいずれかに記載のスイッチ装置において、前記衝撃緩衝部は、前記第２面部の円周方向に沿って分散されて設けられ、前記頭部に接して衝撃を緩衝する際に、前記頭部を一方向に回転移動させることを特徴とするスイッチ装置である。
【００７９】
請求項６に記載の発明は、請求項５に記載のスイッチ装置において、前記衝撃緩衝部は、前記頭部を前記一方向に回転移動させるための傾斜面が、前記第２弾性部の円周方向に沿って傾斜して設けられていることを特徴とするスイッチ装置である。
【００８０】
請求項７に記載の発明は、請求項１〜請求項６のいずれかに記載のスイッチ装置において、発明前記頭部は前記頭部の外端部分に縁部を有し、前記衝撃緩衝部は前記頭部が外部から衝撃を受けた際に前記縁部に接触するように設けられていることを特徴とするスイッチ装置である。
【００８１】
請求項８に記載の発明は、請求項１〜７に記載のスイッチ装置において、前記ケースには、前記貫通孔に嵌められて前記軸部が挿入された第１筒部と、前記第１筒部の外端部に設けられ、かつ前記弾性部材が配置されると共に前記頭部が挿入された第２筒部と、を備えた筒状部材が、設けられていることを特徴とするスイッチ装置である。
【００８２】
請求項９に記載の発明は、請求項８に記載のスイッチ装置において、前記頭部は前記頭部の内面に溝部を備え、前記第１面部は前記溝部に嵌められて配置され、前記頭部と前記第１面部との接触面の範囲は外部から前記頭部に圧力が加えられた場合と、圧力が加えられなかった場合とでほぼ同じ範囲となり、かつ前記第２筒部と前記第２面部との接触面の範囲は、外部から前記頭部に圧力が加えられた場合と、圧力が加えられなかった場合とでほぼ同じ範囲となることを特徴とするスイッチ装置
【００８３】
請求項１０に記載の発明は、請求項１〜請求項９のいずれかに記載されたスイッチ装置を備えていることを特徴とする時計である。
【符号の説明】
【００８４】
１  腕時計ケース
２  第１ケース
３  第２ケース
４  外装部材
４ａ  ビス
５  時計ガラス
５ａ  パッキン
６  裏蓋
７  時計モジュール
８  スイッチ装置
９  バンド取付部
１０、３０  貫通孔
１１  筒状部材
１２  操作部材
１３  弾性部材
１４  第１筒部
１４ａ  小径筒部
１４ｂ  大径筒部
１５  第２筒部
１６  軸部
１７  頭部
１７ａ  縁部
１８  抜止め部材
２０  パッキン部材
２１  第１面部
２１ａ  挿入孔
２２  第２面部
２３  弾性変形部
２４  スイッチ素子
２５、３５  衝撃緩衝部
２５ａ  傾斜面
３１  筒部
【図１】
2020057549.tif 000003
【図２】
2020057549.tif 000004
【図３】
2020057549.tif 000005
【図４】
2020057549.tif 000006
【図５】
2020057549.tif 000007
【図６】
2020057549.tif 000008
【図７】
2020057549.tif 000009
【図８】
2020057549.tif 000010
【図９】
2020057549.tif 000011